(57)【特許請求の範囲】
【請求項１】
表側フィルムと裏側フィルムとの周縁をシールすると共に、その内部にファスナーを備えて構成されるファスナー付きパウチにおいて、
前記ファスナーが一対のフィルム状部品から構成されており、一方のフィルム状部品（凹部側フィルム）は基材フィルムの端部（後端部）に凹部を設けて構成され、他方のフィルム状部品（凸部側フィルム）は基材フィルムの端部（後端部）に凸部を設けて構成され、これら凹部と凸部とが互いに着脱自在に嵌合されており、
前記凹部側フィルムは、凹部のある後端部で表側フィルムにシールされて後端部シール線を構成しており、他方、前記凸部側フィルムは、凸部のある後端部で裏側フィルムにシールされて後端部シール線を構成しており、
前記凹部側フィルムの後端部とは反対側の端部（先端部）と、前記凸部側フィルムの後端部とは反対側の端部（先端部）とは互いにシールされて先端シール線を構成しており、この先端シール線でシールされた凹部側フィルムと凸部側フィルムとでパウチ内部を内容物収容室と非収容室に区画して、前記凹部及び凸部の両者を非収容室に配置させており、
前記凹部側フィルムは、前記後端部シール線と先端シール線との間に、表側フィルム及び凸部側フィルムのいずれにもシールされていない非シール領域を有しており、他方、前記凸部側フィルムは、前記後端部シール線と先端シール線との間に、裏側フィルム及び凹部側フィルムのいずれにもシールされていない非シール領域を有しており、
凹部側フィルムの前記非シール領域又は凸部側フィルムの前記非シール領域のいずれか一方又は両方に、薄膜の弱化線が設けられている、
ことを特徴とするファスナー付きパウチ。
【請求項２】
前記弱化線がエンボスによって設けられていることを特徴とする請求項１に記載のファスナー付きパウチ。
【請求項３】
前記弱化線の膜厚が５０μｍ以下であることを特徴とする請求項１又は２に記載のファスナー付きパウチ。
【請求項４】
前記弱化線が先端シール線から５ｍｍ以下の位置に設けられていることを特徴とする請求項１〜３のいずれかに記載のファスナー付きパウチ。
【請求項５】
ファスナーの前記基材フィルムがポリエチレンから構成されていることを特徴とする請求項１〜４のいずれかに記載のファスナー付きパウチ。
【発明の詳細な説明】
【技術分野】
【０００１】
本発明はファスナー付きのパウチに関し、開口前にファスナーが内容物で汚れることのないパウチに関するものである。
【背景技術】
【０００２】
開口前にファスナーが内容物で汚染されることのないパウチは特許文献１に記載されている。このパウチは、経腸栄養剤や流動食の投与容器として用いられるものである。
【０００３】
このパウチは図５（ａ）のような構造をしている。また、図５（ｂ）はその要部断面図である。すなわち、このパウチは、まず、表裏のフィルム１１，１２の周縁をシールして、天シール線１ａ，底シール線１ｂ、側シール線１ｃ，１ｄを形成して構成されている。そして、その天シール線１ａ近傍を開口予定部とし、天シール線１ａの一部を幅広として、この幅広部分に吊り下げ孔１ｘを設けている。また、底シール線１ｂには、経腸栄養剤や流動食等の内容物を投与するための注出口３が設けられている。
【０００４】
そして、このパウチにはファスナー４が設けられており、このファスナー４は、一枚のフィルム状部品から構成されている。すなわち、このファスナー４は、フィルムを基材４１として、その一方の面に凹部４２１と凸部４２２とを設けたもので、その凹部４２１と凸部４２２と中間に弱化線４ｘが設けられている。そして、この弱化線４ｘを折り曲げ線として二つ折りし、凹部４２１と凸部４２２とを互いに嵌合して、その外面側を、それぞれ、表裏のフィルム１１，１２にシールしている。
【０００５】
このため、このパウチは、ファスナー４を構成する基材４１によって、内容物を収容する内容物収容室Ａと内容物を収容していない非収容室Ｂとに区画されており、ファスナー４の凹部４２１と凸部４２２とは非収容室Ｂの内部に配置されている。そして、このため、これら凹部４２１と凸部４２２の両者共に内容物によって汚染することがない。また、この利点に加えて、内容物収容室から応力がかかったときにも、この応力を基材４１が吸収するから、ファスナー４の変形を抑制することができるという利点がある。
【０００６】
なお、このパウチは次のように使用する。すなわち、まず吊り下げ孔１ｘから吊るして開口予定部を開き、ファスナー４の凹部４２１と凸部４２２との嵌合を解いて開いた後、基材４１を弱化線４ｘで破断する。そして、開口予定部から内容物収容室Ａに水等を充填して内容物と混合し、次に、注出口３からこの混合物を注出するのである。
【先行技術文献】
【特許文献】
【０００７】
【特許文献１】特開２００５−２０６１６２号公報
【発明の概要】
【発明が解決しようとする課題】
【０００８】
以上のように、特許文献１に記載のパウチは、開口予定部を開く前には、ファスナー４の凹部４２１と凸部４２２とが内容物とは区画して配置されているため、これらが内容物で汚れることがなく、また、内容物収容室の応力によってファスナーが変形し難いという利点を有している。
【０００９】
しかしながら、このパウチでは、ファスナーの基材を利用して内容物収容室と非収容室とを区画しており、この基材に弱化線を形成してこの弱化線を折り曲げ線として二つ折り
する必要があり、専用のファスナーを使用することになるので、ファスナーの選択の幅が狭いという欠点があった。
【００１０】
そこで、本発明は、開口前にファスナーが内容物で汚染されることのないファスナー付きパウチであって、任意のファスナーを使用することができ、従って、内容物やパウチの材質等に応じて最適なファスナーを選択することのできるファスナー付きパウチを提供することを目的とする。
【課題を解決するための手段】
【００１１】
すなわち、請求項１に記載の発明は、表側フィルムと裏側フィルムとの周縁をシールすると共に、その内部にファスナーを備えて構成されるファスナー付きパウチにおいて、
前記ファスナーが一対のフィルム状部品から構成されており、一方のフィルム状部品（凹部側フィルム）は基材フィルムの端部（後端部）に凹部を設けて構成され、他方のフィルム状部品（凸部側フィルム）は基材フィルムの端部（後端部）に凸部を設けて構成され、これら凹部と凸部とが互いに着脱自在に嵌合されており、
前記凹部側フィルムは、凹部のある後端部で表側フィルムにシールされて後端部シール線を構成しており、他方、前記凸部側フィルムは、凸部のある後端部で裏側フィルムにシールされて後端部シール線を構成しており、
前記凹部側フィルムの後端部とは反対側の端部（先端部）と、前記凸部側フィルムの後端部とは反対側の端部（先端部）とは互いにシールされて先端シール線を構成しており、この先端シール線でシールされた凹部側フィルムと凸部側フィルムとでパウチ内部を内容物収容室と非収容室に区画して、前記凹部及び凸部の両者を非収容室に配置させており、
前記凹部側フィルムは、前記後端部シール線と先端シール線との間に、表側フィルム及び凸部側フィルムのいずれにもシールされていない非シール領域を有しており、他方、前記凸部側フィルムは、前記後端部シール線と先端シール線との間に、裏側フィルム及び凹部側フィルムのいずれにもシールされていない非シール領域を有しており、
凹部側フィルムの前記非シール領域又は凸部側フィルムの前記非シール領域のいずれか一方又は両方に、薄膜の弱化線が設けられている、
ことを特徴とするファスナー付きパウチである。
【００１２】
次に、請求項２に記載の発明は、前記弱化線がエンボスによって設けられていることを特徴とする請求項１に記載のファスナー付きパウチである。
【００１３】
また、請求項３に記載の発明は、前記弱化線の膜厚が５０μｍ以下であることを特徴とする請求項１又は２に記載のファスナー付きパウチである。
【００１４】
また、請求項４に記載の発明は、前記弱化線が先端シール線から５ｍｍ以下の位置に設けられていることを特徴とする請求項１〜３のいずれかに記載のファスナー付きパウチである。
【００１５】
また、請求項５に記載の発明は、ファスナーの前記基材フィルムがポリエチレンから構成されていることを特徴とする請求項１〜４のいずれかに記載のファスナー付きパウチである。
【発明の効果】
【００１６】
本発明においては、ファスナーを一対のフィルム状部品（凹部側フィルム及び凸部側フィルム）から構成し、この両者を先端シール線で互いにシールすることによりパウチ内部を内容物収容室と非収容室に区画しており、弱化線を折り曲げ線として二つ折りする必要がないから、内容物やパウチの材質等に応じて任意のファスナーを選択することが可能となる。
【００１７】
また、凹部側フィルムの前記非シール領域又は凸部側フィルムの前記非シール領域のいずれか一方又は両方に、薄膜の弱化線を設けているから、その引裂きも容易である。
【図面の簡単な説明】
【００１８】
【図１】図１は本発明のパウチに係り、図１（ａ）はその平面図であり、図１（ｂ）は要部断面図である。
【図２】図２は本発明の製造方法を示す説明図である。
【図３】図３（ａ）及び図３（ｂ）は、それぞれ、弱化線を形成する工程の説明用断面図である。
【図４】図４は本発明の実施例の弱化線２１ｘを示す模式断面図である。
【図５】図５は従来のパウチに係り、図５（ａ）はその平面図であり、図５（ｂ）は要部断面図である。
【発明を実施するための形態】
【００１９】
以下、図面を参照しながら、本発明の具体例を説明する。図面の図１（ａ）はその平面図であり、図１（ｂ）は要部断面図である。
【００２０】
これらの図から分かるように、本発明のパウチは表側フィルム１１の周縁と裏側フィルム１２の周縁とをシールして、天シール線１ａ、底シール線１ｂ、側シール線１ｃ，１ｄを設けて構成されたものである。側部に、二つ折りしたテープを介在させて、ガゼット袋としてもよい。このパウチを構成する表裏のフィルム１１，１２は任意の材質から成ってよいが、好ましくは耐熱性かつ酸素バリア性を有するものであることが望ましい。このようなフィルムとしては、耐熱性かつ酸素バリア性の基材シートにシーラント層を積層した積層フィルムを使用することができる。基材シートとしては、１４０℃以上の融点を有し、かつ、１０μｍ厚に換算した酸素透過度（但し、ＪＩＳ  Ｋ７１２６に準じる方法で、２５℃、６５％ＲＨの雰囲気下で測定した酸素透過度）が２００ｃｃ／（ｍ２／ｄａｙ／ａｔｍ）以下であるものが望ましい。このような基材シートとしては、例えば、無機酸化物を真空蒸着したポリエステルフィルムを例示することができる。あるいはこのポリエステルフィルムにその他のフィルムを積層して基材シートとしてもよい。また、シーラント層としては、周知のポリエチレン樹脂やポリプロピレン樹脂を使用することができる。
【００２１】
そして、この例では、その天シール線１ａ近傍を開口予定部としており、天シール線１ａの一部を幅広としてこの幅広部分に吊り下げ孔１ｘを設けている。また、底シール線１ｂには、経腸栄養剤や流動食等の内容物を投与するための注出口３が設けられている。
【００２２】
ところで、本発明のパウチには、その内部にファスナー２が設けられている。ファスナー２は一対のフィルム状部品２１，２２から構成されており、その一方のフィルム状部品２１は、基材フィルム２１１の端部に凹部２１２を設けて構成されている。また、他方のフィルム状部品２２は、基材フィルム２２１の端部に凸部２２２を設けて構成されている。
そこで、説明の便宜のため、以下、凹部２１２が設けられたフィルム状部品２１を「凹部側フィルム」と呼び、凹部２１２が設けられた端部を「後端部」と呼ぶ。また、同様に、凸部２２２が設けられたフィルム状部品２２を「凸部側フィルム」と呼び、凸部２２２が設けられた端部を「後端部」と呼ぶ。
【００２３】
図１（ａ）及び（ｂ）から分かるように、凹部側フィルム２１の後端部においては、その内面側に凹部２１２が設けられており、外面側は表側フィルム１１の内面にシールされて、後端部シール線２１ａを構成している。同様に、凸部側フィルム２２の後端部においては、その内面側に凸部２２２が設けられており、外面側は裏側フィルム１２の内面にシ
ールされて、後端部シール線２２ａを構成している。これら凹部２１２と凸部２２２とは互いに着脱自在に嵌合している。
【００２４】
そして、凹部側フィルム２１の後端部とは反対側の端部（先端部）と、前記凸部側フィルム２２の後端部とは反対側の端部（先端部）とは互いにシールされて先端シール線２ｂを構成している。そして、このため、パウチの内部は、底シール線１ｂ側の内容物収容室Ａと天シール線１ａ側の非収容室Ｂとに区画されている。内容物収容室Ａは経腸栄養剤等の内容物を収容する空間であり、非収容室Ｂはこの内容物を収容することのない空間である。なお、天シール線１ａ近傍を開口予定部としているため、この開口予定部は非収容室Ｂに配置されている。また、図から分かるように、ファスナー２の凹部２１２及び凸部２２２の両者も非収容室Ｂに配置されている。
【００２５】
なお、凹部側フィルム２１において、後端部シール線２１ａと先端シール線２ｂとの間は、表側フィルム及び凸部側フィルムのいずれにもシールされていない非シール領域２１ｃ，２２ｃである。また、同様に、凸部側フィルム２２において、後端部シール線２２ａと先端シール線２ｂとの間は、表側フィルム及び凸部側フィルムのいずれにもシールされていない非シール領域である。
【００２６】
そして、凹部側フィルム２１の非シール領域２１ｃと凸部側フィルム２２の非シール領域２２ｃの双方に、弱化線２１ｘ，２２ｘが設けられている。この弱化線２１ｘ，２２ｘは、パウチを使用する際に凹部側フィルム２１や凸部側フィルム２２を引裂いて内容物収容室Ａと非収容室Ｂとを連通させるもので、凹部側フィルム２１と凸部側フィルム２２のいずれか一方に設けられていればよい。この例は、凹部側フィルム２１の非シール領域２１ｃと凸部側フィルム２２の非シール領域２２ｃの両方に弱化線２１ｘ，２２ｘを設けた例である。
【００２７】
この弱化線２１ｘ，２２ｘは、例えば、凹部側フィルム２１又は凸部側フィルム２２をエンボスすることによって設けることができる。エンボスによってその厚みが基材フィルム２１１，２２１の厚みより薄くなり、容易に引裂くことができるようになる。基材フィルム２１１，２２１がポリエチレン樹脂から構成される場合には、弱化線２１ｘ，２２ｘの膜厚が５０μｍ以下であることが望ましい。
【００２８】
また、弱化線２１ｘ，２２ｘは非シール領域２１ｃ，２２ｃに設ければよいが、望ましくは、先端シール線２ｂから２ｍｍ以下の位置である。弱化線２１ｘ，２２ｘが先端シール線２ｂに近いほど、その引裂きが容易であり、望ましくは１ｍｍ以下の位置である。
【００２９】
このパウチは、従来のパウチと同様の方法で使用することができる。すなわち、まず吊り下げ孔１ｘから吊るして天シール線１ａ近傍の開口予定部を開き、ファスナー２の凹部２１２と凸部２２２との嵌合を解いて開いた後ファスナー２を弱化線２１ｘ，２２ｘのいずれか一方で破断する。そして、開口予定部から内容物収容室Ａに水等を充填して内容物と混合し、次に、注出口３からこの混合物を注出するのである。
【００３０】
次に、表裏のフィルム１１，１２、凹部側フィルム２１、凸部側フィルム２２として、長尺のフィルムを使用し、これら各フィルム１１，１２，２１，２２を所定の位置関係で重ね合わせて走行させながら製造することができる。図２はその製造方法を示す説明図であり、図３（ａ）及び図３（ｂ）は、いずれも、凹部側フィルム２１、凸部側フィルム２２の両者に弱化線２１ｘと弱化線２２ｘを形成する工程の説明用断面図である。
【００３１】
すなわち、この例では、各フィルム１１，１２，２１，２２の走行方向に沿って、順次、エンボスロール、３つのヒートシールロール、１つのヒートシールバーを配置している。エンボスロールは凹部側フィルム２１と凸部側フィルム２２の両者に弱化線２１ｘと弱化線２２ｘを形成するものである。また、３つのヒートシールロールのうち、もっとも上流側に配置されたヒートシールロール１は、先端シール線２ｂを形成するロールである。次に配置されたヒートシールロール２は、後端部シール線２１ａ，２２ａを形成するためのものである。最後に配置されたヒートシールロール３は天シール線１ａを形成するためのものである。また、ヒートシールバーは３つのヒートシールロールの後に配置されており、側シール線１ｃ，１ｄを形成するものである。そして、各包装袋に切断した後、底部から内容物を充填し、底シール線１ｂを形成することにより、内容物入りのパウチを製造することができる。
【００３２】
弱化線２１ｘ及び弱化線２２ｘを形成する工程では、図３（ａ）に示すように、所定の位置関係で重ねられた各フィルム１１，１２，２１，２２の外側に、凸部を設けたエンボスロールと凹部を設けた受けロールとを対向配置すると共に、表側フィルム１１と凹部側フィルム２１との間に両者の融着を防止する邪魔板を配置し、裏側フィルム１２と凸部側フィルム２２との間にも邪魔板を配置し、また、凹部側フィルム２１と凸部側フィルム２２との間の非シール領域２１ｃ，２２ｃのうち弱化線２１ｘ，２２ｘを形成しない部位にも邪魔板を配置して、エンボスロールと受けロールとの間で押圧すればよい。この押圧によって邪魔板が変形し、この変形に伴って凹部側フィルム２１と凸部側フィルム２２の両者も変形してエンボスされ、このエンボス部分の厚みが減少して、非シール領域２１ｃ，２２ｃの端縁近傍に薄肉の弱化線２１ｘ，２２ｘを形成することができる。なお、エンボスロールとしては熱源を内蔵する加熱ロールが好ましく使用でき、この加熱ロールによって、凹部側フィルム２１と凸部側フィルム２２の両者を加圧すると同時に加熱して、弱化線２１ｘ，２２ｘを形成することが望ましい。また、受けロールとして熱源を内蔵する加熱ロールを使用することもできる。
【００３３】
また、弱化線２１ｘ，２２ｘは、図３（ｂ）に示す装置を使用して形成することも可能である。この装置は、エンボスロールの代わりに凸部のない加熱ロールを使用するもので、凸部は裏側フィルム１２と凸部側フィルム２２との間の邪魔板に設けられている。また、受けロールにも凹部が存在せず、凹部は表側フィルム１１と凹部側フィルム２１との間の邪魔板に設けられている。このような装置を使用して弱化線２１ｘ，２２ｘを形成することも可能である。
【００３４】
なお、本発明に係るファスナー２としては、内容物やパウチの材質等に応じて、市販のファスナーの中から任意のファスナーを選択して使用することができる。例えば、安価なポリエチレン樹脂製ファスナーである。
【実施例】
【００３５】
（実施例１）
パウチを構成する表裏のフィルム１１，１２として、外面側から、無機酸化物を真空蒸着したポリエステルフィルム（厚さ１２μｍ）、ポリアミドフィルム（厚さ１５μｍ）、ポリアミドフィルム（厚さ１５μｍ）、ポリプロピレンフィルム（厚さ６０μｍ）を積層した４層構造の積層フィルムを使用した。なお、これら各フィルムはドライラミネート法によって接着した。また、ポリプロピレンフィルム（厚さ６０μｍ）はシーラント層である。
【００３６】
ファスナー２としては市販の直鎖状ポリエチレン製ファスナー（出光ユニテック社製：ＬＬ−２００）を使用した。基材フィルム２１１，２２１の厚みは１５０μｍである。
【００３７】
そして、図２及び図３（ａ）に示すように、これら表裏のフィルム１１，１２、凹部側フィルム２１、凸部側フィルム２２を所定の位置関係で重ね合わせ、走行させながら、凹
部側フィルム２１、凸部側フィルム２２をエンボスして弱化線２１ｘ，２２ｘを形成し、先端シール線２ｂを形成し、凹部側フィルム２１と凸部側フィルム２２とをそれぞれ表側フィルム１１と裏側フィルム１２とにシールして後端部シール線２１ａ，２２ａを形成し、次に、天シール線１ａと側シール線１ｃ，２ｄを形成して包装袋を製造した。次に、個々の袋に断裁し、底側から内容物を充填して、底シール線１ｂを形成した。
【００３８】
得られたパウチは、表裏のフィルム１１，１２の周縁がシールされた四方シール袋であり、凹部側フィルム２１と凸部側フィルム２２とが、それぞれ、その端部で表側フィルム１１と裏側フィルム１２のそれぞれにシールされて後端部シール線２１ａ，２２ａが形成されており、反対側端部は凹部側フィルム２１と凸部側フィルム２２とが互いにシールされて先端シール線２ｂを形成していた。そして、これら凹部側フィルム２１と凸部側フィルム２２の両者によってパウチ内部が２室に区画されており、一方の部屋（内容物収容室Ａ）には内容物が収容されており、他方の部屋（非収容室Ｂ）にはファスナー２の凹部２１２と凸部２２２が配置されていた。そして、凹部側フィルム２１の後端部シール線２１ａと先端シール線２ｂとの間には、表側フィルム１１及び凸部側フィルム２２のいずれにもシールされていない非シール領域２１ｃが形成されており、この非シール領域２１ｃには、先端シール線２ｂから０．５ｍｍの位置に幅４ｍｍの弱化線２１ｘが形成されていた。凸部側フィルム２２も凹部側フィルム２１と同様であり、凸部側フィルム２２の後端部シール線２２ａと先端シール線２ｂとの間には、裏側フィルム１２及び凹部側フィルム２１のいずれにもシールされていない非シール領域２２ｃが形成されており、この非シール領域２２ｃには、先端シール線２ｂから１ｍｍの距離に幅４ｍｍの弱化線２２ｘが形成されていた。
【００３９】
弱化線２１ｘ，２２ｘのうち、その代表として弱化線２１ｘの断面形状を模式的に図４に示す。弱化線２１ｘは断面三角形状を有するもので、その開口部すなわち三角形の底辺の幅ｍは４．０ｍｍである。また、その頂角αは９０度であり、深さｈは２．０ｍｍである。そして、この断面三角形状の弱化線２１ｘのもっとも薄い部位の厚みｄを測定したところ、１００μｍであった。なお、弱化線２２ｘも同様の形状であった。
【００４０】
（実施例２）
弱化線２１ｘ，２２ｘの深さｈを３．５ｍｍとした他は実施例１と同様にパウチを製造した。なお、開口部幅ｍは４．０ｍｍ、頂角αは６０度、薄い部位の厚みｄは５０μｍであった。
【００４１】
（実施例３）
弱化線２１ｘ，２２ｘの深さｈを４．９ｍｍとした他は実施例１と同様にパウチを製造した。なお、開口部幅ｍは４．０ｍｍ、頂角αは４５度、薄い部位の厚みｄは２０μｍであった。
【００４２】
（比較例）
弱化線２１ｘ，２２ｘをいずれも形成しなかった他は実施例１と同様にパウチを製造した。
【００４３】
（評価）
実施例１〜３及び比較例のパウチを被験者５人に渡し、それぞれのパウチについて、弱化線２１ｘ，２２ｘの引裂き開封が容易であるか否かについてアンケート調査した。引裂き開封の難易については５段階として、容易に引裂き開封できたものについては「５」、困難であったものを「１」と評価し、その間を「２」〜「４」で評価した。そして、被験者５人の平均値を算出した。この結果を表１に示す。
【００４４】
【表１】
0006520332.tif 000002
この結果では、弱化線２１ｘ，２２ｘを設けなかった比較例では引裂き開封が容易ではなかった。弱化線２１ｘ，２２ｘを設けることによって引裂き開封が容易となるが、その厚みが１００μｍ程度の実施例１ではほとんど影響がなく、５０μｍ以下とすることによって、急激に引裂き開封が容易となることが分かった。
【符号の説明】
【００４５】
１：パウチ    １１：表側フィルム    １２：裏側フィルム  １ａ：天シール線    １ｂ：底シール線    １ｃ：側シール線    １ｄ：側シール線    １ｘ：吊り下げ孔
２：ファスナー
２１：凹部側フィルム    ２１１：基材フィルム    ２１２：凹部    ２１ａ：後端部シール線    ２１ｃ：非シール領域    ２１ｘ：弱化線
２２：凸部側フィルム    ２２１：基材フィルム    ２２２：凸部    ２２ａ：後端部シール線    ２２ｃ：非シール領域    ２２ｘ：弱化線
２ｂ：先端シール線
３：注出口
４：ファスナー    ４１：ファスナーの基材    ４２１：凹部    ４２２：凸部    ４ｘ：弱化線
Ａ：内容物収容室    Ｂ：非収容室
【図１】
0006520332.tif 000003
【図２】
0006520332.tif 000004
【図３】
0006520332.tif 000005
【図４】
0006520332.tif 000006
【図５】
0006520332.tif 000007